(57)【特許請求の範囲】
【請求項１】
１本の光ファイバで半二重通信方式による通信が可能な第１の光ファイバケーブルであって、挿入孔に挿入され前記半二重通信を行う場合にこの第１の光ファイバケーブルから受光素子に入射する第１の受信信号光量が、発光素子からの送信信号光の前記第１の光ファイバケーブルでの反射光が前記受光素子に入射する反射光量よりも少ない第１の光ファイバケーブルと、
１本の光ファイバで全二重通信方式による通信が可能な第２の光ファイバケーブルであって、前記挿入孔に挿入され前記全二重通信を行う場合にこの第２の光ファイバケーブルから前記受光素子に入射する第２の受信信号光量が、前記発光素子からの送信信号光の前記第２の光ファイバケーブルでの反射光が前記受光素子に入射する反射光量以上である第２の光ファイバケーブルと、
前記第１の光ファイバケーブルまたは第２の光ファイバケーブルが挿入される前記挿入孔を有する光送受信モジュールと
を備える光送受信システムであって、
上記第１、第２の光ファイバケーブルは、それぞれ、上記挿入孔に挿入されるプラグを有し、
前記第１、第２の光ファイバケーブルのうちの前記第２の光ファイバケーブルのみが上記プラグに設けられた誤挿入防止キーを有し、
前記光送受信モジュールは、
前記発光素子と受光素子とを含むとともに前記光ファイバケーブルとの間で光授受を行う光送受信部と、
前記光送受信部を半二重通信方式で制御する半二重通信制御部と、
前記光送受信部を全二重通信方式で制御する全二重通信制御部と、
前記挿入孔に挿入された光ファイバケーブルが前記誤挿入防止キーを有しているか否かを検出するスイッチと、
前記挿入された光ファイバケーブルが前記誤挿入防止キーを有していることを前記スイッチが検出したときに、前記光送受信部を前記全二重通信制御部に電気的に接続すると共に前記光送受信部を前記半二重通信制御部に電気的に非接続にする一方、前記挿入された光ファイバケーブルが前記誤挿入防止キーを有していないことを前記スイッチが検出したときに、前記光送受信部を前記半二重通信制御部に電気的に接続すると共に前記光送受信部を前記全二重通信制御部に電気的に非接続にする切替部とを備え、
長さの異なる複数本の前記第２の光ファイバケーブルを備え、
この複数本の第２の光ファイバケーブルは、それぞれ、長さに応じて段階的に増減した個数の前記誤挿入防止キーを有し、
前記挿入孔に挿入された前記第２の光ファイバケーブルが有する前記誤挿入防止キーの個数に応じて上記発光素子の駆動電流を段階的に増減させることを特徴とする光送受信システム。
【請求項２】
請求項１に記載の光送受信システムにおいて、
前記第２の光ファイバケーブルの長さが前記第１の光ファイバケーブルの長さよりも長く、前記第２の光ファイバケーブルの端面が無反射処理されていないことを特徴とする光送受信システム。
【請求項３】
請求項１に記載の光送受信システムにおいて、
前記第２の光ファイバケーブルは、斜めにカットされた端面を有するか、または、上記端面に反射防止膜が形成されていることを特徴とする光送受信システム。
【請求項４】
請求項１乃至３のいずれか１つに記載の光送受信システムにおいて、
前記誤挿入防止キーは、前記挿入孔に挿入される上記光ファイバケーブルのプラグに形成された突起からなることを特徴とする光送受信システム。
【発明の詳細な説明】
【０００１】
【発明の属する技術分野】
本発明は、１本の光ファイバを共有して送受信を行う光送受信モジュール及びそれを用いた１芯双方向光送受信システムに関するものである。特に、ＩＥＥＥ１３９４やＵＳＢ２などの高速伝送が可能なデジタル通信システムに関するものである。
【０００２】
【従来の技術】
このような光送受信システムの従来例としては、同出願人が先に提案した特願平１１−５８７２号（平成１１年１月１２日出願）に記載の光送受信システムがある。
【０００３】
該光送受信システムは、既に普及しているデジタルオーディオ用光ファイバケーブルが使用可能で、かつ１本の光ファイバケーブルで双方向通信を可能とするものである。
【０００４】
以下、従来の光送受信システムを、図面とともに説明する。
【０００５】
図９は従来の光送受信システムの構造図であり、（ａ）は横断面図であり、（ｂ）は縦断面図である。図１０は図９に示す光送受信システムにおける光送受信モジュールの正面図である。図１１は従来の光送受信システムの光学的動作を説明するための図であり、（ａ）は横断面図であり、（ｂ）は（ａ）のＡ部拡大図である。
【０００６】
従来の光送受信システムは、光ファイバケーブル１１と光送受信モジュール２１とを備えてなる。
【０００７】
前記光ファイバケーブル１１は、内部に光路となる光ファイバ１２が配設され、端部にプラグ１３が設けられてなる。
【０００８】
また、前記光送受信モジュール２１は、挿入孔２２ａが形成された保持体２２内に、電気信号を光信号に変換する発光素子２３と、光信号を電気信号に変換する受光素子２４と、前記発光素子２３及び受光素子２４を封止するモールドパッケージ２５と、該モールドパッケージ２５に一体成形されたレンズ２５ａ，２５ｂと、光分岐素子２６とを備えてなる。
【０００９】
そして、上記光送受信モジュール２１の挿入孔２２ａ内に、上記光ファイバケーブル１１のプラグ１３を挿入することで、上記光ファイバケーブル１１と光送受信モジュール２１とが光学的に結合する。
【００１０】
つまり、発光素子２３を出射した送信信号光は、モールドパッケージ２５に一体成形されたレンズ２５ａを透過し、略平行光線とされた後、光分岐素子２６の裏面に形成されたレンズ２６ａにより収束光線とされ、続いて光分岐素子２６の表面に形成されたマイクロプリズム２６ｂにより光ファイバ１２の光軸方向に偏向され、光ファイバ１２へ入射する。
【００１１】
一方、光ファイバ１２を出射した受信信号光は、光分岐素子２６の表面に形成されたマイクロプリズム２６ｂにより偏向され、続いて光分岐素子２６の裏面に形成されたレンズ２６ａにより平行光線とされた後、モールドパッケージ２５に一体成形されたレンズ２５ｂを透過し、略集光光線とされ受光素子２４へ入射する。
【００１２】
また、間接的に関係する従来例として、実用新案登録公報第２５８５６６５号公報にて開示された光通信システムがある。
【００１３】
図１２は、該光通信システムの分離平面図である。
【００１４】
該光通信システムは、側面に突出する挿入方向規定キー３１と光ファイバ３２とを有するプラグ（光ファイバケーブル）３３と、結合時に該挿入方向規定キー３１が嵌合する位置決め溝３４を有するアダプタ（光通信モジュール）３５とを備え、前記位置決め溝３４に所定状態に嵌合した上記挿入方向規定キー３１を検出する検出器３６を設けたもので、該構成によりアダプタ３５からプラグ３３が抜けたことが前記検出器３６より検知でき、その場合はレーザー光源の動作を停止し、レーザー光線を空間に飛ばす問題を解決でき、ユーザーの目を傷つけることを防止するものである。
【００１５】
【発明が解決しようとする課題】
しかしながら、上述した従来の光送受信システムは、以下の問題を有する。
【００１６】
(1)光ファイバ１２の端面を垂直にカットし、無反射処理を施していない光ファイバケーブル１１を用いると、光ファイバ１２の両端面からの自身の自送信信号光の反射光が自身の受光素子２４に入射し、クロストークが大きくなり、全二重通信方式が採れなくなる。特に、光ファイバ１１の遠い側端面の反射（遠端反射）は防ぎようがないため、半二重通信方式を採っているが伝送速度が半分になる問題が生じる。
【００１７】
(2)上記(1)の問題を解決するには、光ファイバ１２の端面を斜めカットした光ファイバケーブル，光ファイバ１２の端面に反射防止膜を施した光ファイバケーブル，光ファイバ１２の長さが非常に長い光ファイバケーブルを用いれば良い。ところが、光ファイバ１２の端面を垂直にカットした光ファイバケーブルは既に市販されユーザーが保有しているため、光ファイバ１２の端面を斜めカットした光ファイバケーブル，光ファイバ１２の端面に反射防止膜を施した光ファイバケーブル，光ファイバ１２の長さが非常に長い光ファイバケーブルのみ使用できるシステムにすると、ユーザー資産の切り捨てにつながる問題が生じる。
【００１８】
(3)また、光ファイバ１２の端面を斜めカットした光ファイバケーブル，光ファイバ１２の端面に反射防止膜を施した光ファイバケーブル，光ファイバ１２の長さが非常に長い光ファイバケーブルを市場に出すと、逆にデジタルオーディオシステムが成立しない問題が生じる。具体的には、これらの光ファイバケーブルでは光量過多又は光量不足により通信不可能な問題が生じる。
【００１９】
本発明は、上記課題に鑑み、使用する光ファイバに応じた通信方式に選択切替え可能な光送受信モジュール及びそれを用いた光送受信システムの提供を目的とする。
【００２０】
【課題を解決するための手段】
上記目的を達成するために、本発明の第１発明にかかる光送受信システムは、
１本の光ファイバで半二重通信方式による通信が可能な第１の光ファイバケーブルであって、挿入孔に挿入され前記半二重通信を行う場合にこの第１の光ファイバケーブルから受光素子に入射する第１の受信信号光量が、発光素子からの送信信号光の前記第１の光ファイバケーブルでの反射光が前記受光素子に入射する反射光量よりも少ない第１の光ファイバケーブルと、
１本の光ファイバで全二重通信方式による通信が可能な第２の光ファイバケーブルであって、前記挿入孔に挿入され前記全二重通信を行う場合にこの第２の光ファイバケーブルから前記受光素子に入射する第２の受信信号光量が、前記発光素子からの送信信号光の前記第２の光ファイバケーブルでの反射光が前記受光素子に入射する反射光量以上である第２の光ファイバケーブルと、
前記第１の光ファイバケーブルまたは第２の光ファイバケーブルが挿入される前記挿入孔を有する光送受信モジュールと
を備える光送受信システムであって、
上記第１、第２の光ファイバケーブルは、それぞれ、上記挿入孔に挿入されるプラグを有し、
前記第１、第２の光ファイバケーブルのうちの前記第２の光ファイバケーブルのみが上記プラグに設けられた誤挿入防止キーを有し、
前記光送受信モジュールは、
前記発光素子と受光素子とを含むとともに前記光ファイバケーブルとの間で光授受を行う光送受信部と、
前記光送受信部を半二重通信方式で制御する半二重通信制御部と、
前記光送受信部を全二重通信方式で制御する全二重通信制御部と、
前記挿入孔に挿入された光ファイバケーブルが前記誤挿入防止キーを有しているか否かを検出するスイッチと、
前記挿入された光ファイバケーブルが前記誤挿入防止キーを有していることを前記スイッチが検出したときに、前記光送受信部を前記全二重通信制御部に電気的に接続すると共に前記光送受信部を前記半二重通信制御部に電気的に非接続にする一方、前記挿入された光ファイバケーブルが前記誤挿入防止キーを有していないことを前記スイッチが検出したときに、前記光送受信部を前記半二重通信制御部に電気的に接続すると共に前記光送受信部を前記全二重通信制御部に電気的に非接続にする切替部とを備え、
長さの異なる複数本の前記第２の光ファイバケーブルを備え、
この複数本の第２の光ファイバケーブルは、それぞれ、長さに応じて段階的に増減した個数の前記誤挿入防止キーを有し、
前記挿入孔に挿入された前記第２の光ファイバケーブルが有する前記誤挿入防止キーの個数に応じて上記発光素子の駆動電流を段階的に増減させることを特徴とするものである。
【００２１】
また、本発明の第２発明にかかる光送受信システムは、第１発明にかかる光送受信システムにおいて、前記第２の光ファイバケーブルの長さが前記第１の光ファイバケーブルの長さよりも長く、前記第２の光ファイバケーブルの端面が無反射処理されていないことを特徴とするものである。
【００２２】
加えて、本発明の第３発明にかかる光送受信システムは、請求項１に記載の光送受信システムにおいて、前記第２の光ファイバーケーブルは、斜めにカットされた端面を有するか、または、上記端面に反射防止膜が形成されていることを特徴とするものである。
【００２３】
加えて、本発明の第４発明にかかる光送受信システムは、請求項１乃至３のいずれか１つに記載の光送受信システムにおいて、前記誤挿入防止キーは、前記挿入孔に挿入される上記光ファイバーケーブルのプラグに形成された突起からなることを特徴とするものである。
【００２４】
上記構成の本発明の第１発明にかかる光送受信システムは、光送受信部を半二重通信方式で制御する半二重通信制御部と、光送受信部を全二重通信方式で制御する全二重通信制御部と、光送受信部を制御する通信方式を前記半二重通信方式と全二重通信方式とのいずれか一方に選択的に切替える切替部とを備えたので、使用する光ファイバに応じた通信方式を選択することができる。よって、例えば、光ファイバの端面に無反射処理の施されていない既にユーザーが保有している光ファイバケーブルに対して半二重通信方式を採ることができるとともに、光ファイバ長の長い光ファイバケーブルや光ファイバの端面に無反射処理が施された光ファイバケーブルに対して全二重通信方式を採ることができる。
【００２５】
また、一実施形態にかかる光送受信システムは、前記切替部が、前記光ファイバの長さが短いとき半二重通信方式を選択し、前記光ファイバの長さが長いとき全二重通信方式を選択するので、長さの短い光ファイバ使用時に光ファイバの遠端反射光の影響により通信不可能な状態となることを防止できるとともに、長さの長い光ファイバ使用時には前記遠端反射光の影響がないため伝送速度を向上できる。
【００２６】
さらに、一実施形態にかかる光送受信システムは、前記光ファイバの長さが短いとき前記光送受信部の発光素子の駆動電流を小さくし、前記光ファイバの長さが長いとき前記発光素子の駆動電流を大きくするので、光ファイバの長さが短いときの消費電力の削減が可能となる。
【００２７】
加えて、一実施形態にかかる光送受信システムは、使用する光ファイバに応じて最適な通信方式を自動的に判別することができる。
【００２８】
加えて、一実施形態にかかる光送受信システムは、該突起が例えばデジタルオーディオシステムにて用いられる他の光送受信モジュールに対して誤挿入防止手段となり、長さの長い光ファイバ，端面に無反射処理された光ファイバが他の光送受信モジュールに接続され、他の光送受信モジュールが光量過多又は光量不足により通信不可能となることを防止できる。
【００２９】
【発明の実施の形態】
本発明の実施の形態にかかる光送受信モジュール及びそれを用いた光送受信システムについて、図面とともに説明する。
【００３０】
なお、本実施の形態にかかる光送受信モジュールは、従来の光送受信システムにおいて、更に以下の構成を追加するものであり、追加する構成のみ説明し従来と同一の構成部分についてはその説明を省略する。
【００３１】
図１は本発明の実施の形態にかかる光送受信システムの第１の状態を示す構造図であり、（ａ）は横断面図であり、（ｂ）は縦断面図である。図２は本発明の実施の形態にかかる光送受信システムに用いられる光送受信モジュールの第１の状態を示すブロック図である。図３は本発明の実施の形態にかかる光送受信システムの第２の状態を示す構造図であり、（ａ）は横断面図であり、（ｂ）は縦断面図である。図４は本発明の実施の形態にかかる光送受信システムに用いられる光送受信モジュールの第２の状態を示すブロック図である。図５は本発明の実施の形態にかかる光送受信システムに用いられる光送受信モジュールの正面図である。
【００３２】
図１において、１４は光ファイバケーブル１１のプラグ１３表面に設けられた突起からなる誤挿入防止キー、２２ｂは光送受信モジュール２１のコネクタとなる挿入孔２２ａ内に設けられプラグ１３の挿入孔２２ａへの挿入時に前記誤挿入防止キー１４が挿入される溝、２７は前記誤挿入防止キー１４の有無を検出する検出手段となるスイッチである。該スイッチ２７は、固定端子２７ａと、該固定端子２７ａと非接触の状態で配設され誤挿入防止キー１４による押圧により前記固定端子２７ａと接触する可動端子２７ｂとからなり、非接触で誤挿入防止キー１４無，接触で誤挿入防止キー１４有を検出する。
【００３３】
図２において、１は発光素子及び受光素子を備えた光送受信部、２は切替部である切替器、３は前記光送受信部１を半二重通信方式で制御する半二重通信制御部である半二重通信回路、４は前記光送受信部１を全二重通信方式で制御する全二重通信制御部である全二重通信回路、５は外部接続端子であり、前記切替器２は前記光送受信部１を制御する通信方式を前記半二重通信方式と全二重通信方式とのいずれか一方に選択的に切替えるものである。
【００３４】
まず、全二重通信方式が成立する条件を説明する。
【００３５】
全二重通信方式とは、電話と同様に送信しながら受信できる方式であり、相手からの受信信号光≧自身の送信信号光の反射光が成立するならば、全二重通信方式による通信が可能である。
【００３６】
光送受信システムにおいて、自身の発光素子２３からの送信信号光の反射光が自身の受光素子２４へ入射する入射光量を光学シミュレーションにより解析した。その結果を表１及び表２に示す。図６は表１における反射部位を説明するための縦断面図である。
【００３７】
【表１】
0003725995.tif 000002
【００３８】
【表２】
0003725995.tif 000003
【００３９】
光送受信モジュールの受信側であるモールドパッケージ２５及び光分岐素子２６の光学系と受光素子２４とを含む受信装置の最小受信感度を一例として−２１ｄＢとすると、光分岐素子２６により光量が半分（−３ｄＢ）になるため、製造ばらつきを考慮し受光素子２４には最小で−２５ｄＢの受信信号光が入射するように設定される。
【００４０】
よって、自身の送信信号光の反射光の総和が−２５ｄＢ以下である場合は全二重通信方式による通信が可能となる。すなわち、表１及び表２から分かるように、光ファイバ（以下、「ＰＯＦ」と称す。）１２端面からの反射光がなければ、全二重通信方式による通信が可能である。
【００４１】
したがって、ＰＯＦ１２端面を無反射処理する、具体的には斜めにカットし反射光を反らすか、ＰＯＦ１２端面に酸化マグネシウム等による反射防止膜を付ければ、ＰＯＦ１２端面からの反射光がなくなるため、全二重通信方式による通信が可能となる。
【００４２】
また、表２ではＰＯＦ１２の減衰を考慮していないので、それを考慮すると、ＰＯＦの単位長さ当りの減衰量は−０．２ｄＢ／ｍであるため、往復で６ｍ（光ファイバケーブル長で３ｍ）の長さがあれば全二重通信方式による通信が可能なことが分かる。
【００４３】
次に、全二重通信方式と半二重通信方式との切替え動作を説明する。
【００４４】
全二重通信方式による通信が可能な光ファイバケーブル１１には全てプラグ１３表面に突起からなる誤挿入防止キー１４を付けている。
【００４５】
図１に示すように、誤挿入防止キー１４付きのプラグ１３が光送受信モジュール２１の挿入孔２２ａに挿入されると、前記誤挿入防止キー１４の有無を検出するスイッチ２７が入る（ＯＮする）。この場合、図２に示すように、切替器２にて光送受信部１と全二重通信回路３とが電気的接続され、光送受信部１からの出力が全二重通信回路３へ入力され、全二重通信方式による通信が行われる。
【００４６】
これに対し、従来の光ファイバケーブル１１には、プラグ１３に誤挿入防止キー１４が設けられていないので、図３に示すように、プラグ１３が光送受信モジュール２１の挿入孔２２ａに挿入されると、誤挿入防止キー１４の有無を検出するスイッチ４が切り（ＯＦＦ）のままとなる。この場合、図４に示すように、切替器２にて光送受信部１と半二重通信回路４とが電気的に接続され、光送受信部１からの出力が半二重通信回路４へ入力され、半二重通信方式による通信が行われる。
【００４７】
図７に上記光送受信システムで使用可能な光ファイバケーブルの種類を示す。
【００４８】
（ａ）は既に市販されている、例えばケーブル長が１ｍでＰＯＦ端面が無反射処理されていない光ファイバケーブルである。この光ファイバケーブルは、デジタルオーディオ光信号の伝送が一方向光通信で可能であり、ＩＥＥＥ１３９４光信号の伝送は半二重通信方式による双方向光通信が可能である。この場合、誤挿入防止キーを有していない。この他、既に市販されている他の光ファイバケーブルに対しても同様である。
【００４９】
（ｂ）はケーブル長が３ｍ以上（例えば２０ｍ）で端面が無反射処理されていない光ファイバケーブルである。この光ファイバケーブルは、デジタルオーディオ光信号の伝送が光量不足により不可能であるが、ＩＥＥＥ１３９４光信号の伝送は全二重通信方式による双方向光通信が可能となる。よって、ＰＯＦ長が長いという長さ情報を示す情報手段である誤挿入防止キー１４を有している。
【００５０】
（ｃ）はＰＯＦ端面が斜めカットされた光ファイバケーブルである。この光ファイバケーブルは、デジタルオーディオ光信号の伝送が光量不足により不可能であるが、ＩＥＥＥ１３９４光信号の伝送は全二重通信方式による双方向光通信が可能となる。よって、ＰＯＦ端面が無反射処理されているという情報を示す情報手段である誤挿入防止キー１４を有している。
【００５１】
（ｄ）はＰＯＦ端面が反射防止処理された光ファイバケーブルである。この光ファイバケーブルは、デジタルオーディオ光信号の伝送が光量過多により特に短い光ファイバを用いた場合に不可能であるが、ＩＥＥＥ１３９４光信号の伝送は全二重通信方式による双方向光通信が可能となる。よって、ＰＯＦ端面が無反射処理されているという情報を示す情報手段である誤挿入防止キー１４を有している。
【００５２】
また、光ファイバケーブル１１長が長い場合（言換えれば、ＰＯＦ１２長が長い場合）は、プラグ１３の誤挿入防止キー１４を１つとし、ＰＯＦ１２端面による無反射処理の場合はプラグ１３の誤挿入防止キー１４を２つにするなどにより区別できるように設定し、光ファイバケーブル１１長が長い場合は発光素子２３への電流を増やし、光ファイバケーブル１１長が短い場合は発光素子２３への電流を減らすようにすれば、消費電力が削減できる。
【００５３】
さらに、光ファイバケーブル１１長の長さに応じて誤挿入防止キー１４の数を段階的に増減し、それに応じて発光素子２３の駆動電流を段階的に増減すれば、より消費電力の削減が可能となる。
【００５４】
図８は異なる数の誤挿入防止キーを設けた光ファイバケーブルの一例を示す斜視図である。（ａ）は誤挿入防止キー１４が１つの場合であり、（ｂ）は１８０度毎に誤挿入防止キー１４が設けられた２つの場合であり、（ｃ）は１２０度毎に誤挿入防止キー１４が設けられた３つの場合である。
【００５５】
【発明の効果】
以上説明したように、本発明の第１発明にかかる光送受信システムによれば、例えば、既にユーザーが保有している端面に無反射処理が施されていない光ファイバに対しては半二重通信方式で通信可能とするとともに、長さの長い光ファイバや端面に無反射処理が施された光ファイバに対しては全二重通信方式で通信できる。したがって、使用する光ファイバに応じた通信方式に選択切替えでき、ユーザー資産の切り捨てを防止できるとともに、高速伝送を可能とする。さらに、本発明の光送受信システムによれば、長さの短い光ファイバ使用時の消費電力の削減が可能となる。
【００５６】
また、本発明の第２発明にかかる光送受信システムによれば、長さの短い光ファイバ使用時に通信不可能な状態となることを防止できるとともに、長さの長い光ファイバ使用時には伝送速度を向上して高速伝送を可能とする。
【００５７】
加えて、本発明の第２〜４の発明にかかる光送受信システムによれば、使用する光ファイバに応じた最適な通信方式に自動的に選択切替できる。
【００５８】
加えて、本発明の一実施形態にかかる光送受信システムによれば、長さの長い光ファイバ，端面に無反射処理された光ファイバが例えばデジタルオーディオシステムにて用いられる他の光送受信モジュールに接続され、当該他の光送受信モジュールが光量過多又は光量不足により通信不可能となることを防止できる。
【図面の簡単な説明】
【図１】  本発明の実施の形態にかかる光送受信システムの第１の状態を示す構造図である。
【図２】  本発明の実施の形態にかかる光送受信システムに用いられる光送受信モジュールの第１の状態を示すブロック図である。
【図３】  本発明の実施の形態にかかる光送受信システムの第２の状態を示す構造図である。
【図４】  本発明の実施の形態にかかる光送受信システムに用いられる光送受信モジュールの第２の状態を示すブロック図である。
【図５】  本発明の実施の形態にかかる光送受信システムに用いられる光送受信モジュールの正面図である。
【図６】  反射部位の説明図である。
【図７】  光ファイバケーブルの種類を説明するための図である。
【図８】  異なる数の誤挿入防止キーを設けた光ファイバケーブルを示す斜視図である。
【図９】  従来の光送受信システムの構造図である。
【図１０】  従来の光送受信システムに用いられる光送受信モジュールの正面図である。
【図１１】  従来の光送受信システムの光学的動作を説明するための図である。
【図１２】  従来の光通信システムの分離平面図である。
【符号の説明】
１  光送受信部
２  切替器
３  全二重通信回路
４  半二重通信回路
１１  光ファイバケーブル
１２  光ファイバ
１３  プラグ
１４  誤挿入防止キー
２１  光送受信モジュール
２２ａ  挿入孔
２３  発光素子
２７  スイッチ
【図１】
0003725995.tif 000004
【図２】
0003725995.tif 000005
【図３】
0003725995.tif 000006
【図４】
0003725995.tif 000007
【図５】
0003725995.tif 000008
【図６】
0003725995.tif 000009
【図７】
0003725995.tif 000010
【図８】
0003725995.tif 000011
【図９】
0003725995.tif 000012
【図１０】
0003725995.tif 000013
【図１１】
0003725995.tif 000014
【図１２】
0003725995.tif 000015